(57)【要約】【課題】  構造が簡単であり、嵩も小さく、低廉なシート揃え装置を提供すること。【解決手段】  複数枚重ねられたシート８の束を保持部９で保持し、この保持部９を振動機１０で振動させることによって、シート８の束の縁部８ａ、８ｂを揃えるシート揃え装置７において、保持部９は、シート８の束の下方に向かう縦方向及び横方向の各縁部８ａ、８ｂに当接してシート８の束を保持するための第１及び第２底部９ｂ、９ｃを備え、振動機１０は、保持部９に保持されているシート８の束のシート面８ｃに対して、略垂直な面内で錘２８を回転させて振動を発生する。これによって、保持部９に保持されているシート８の束を、その縦方向の縁部８ａと略平行する方向３２、及びシート面８ｃに対して略垂直な方向３１に振動させることができる。【選択図】      図１
2006282360.tif 000002
【特許請求の範囲】
【請求項１】
複数枚重ねられたシートの束を保持部で保持し、この保持部を振動手段で振動させることによって、前記シートの束の縁部を揃えるシート揃え装置において、
前記保持部は、前記シートの束の下方に向かう縦方向及び横方向の各縁部に当接して前記シートの束を保持するための底部を備えることを特徴とするシート揃え装置。
【請求項２】
前記振動手段は、前記保持部に保持されている前記シートの束のシート面に対して、略垂直な面内で錘を回転させて振動を発生することを特徴とする請求項１記載のシート揃え装置。
【請求項３】
前記振動手段は、第１振動手段及び第２振動手段を備え、前記第１振動手段及び前記第２振動手段の第１錘及び第２錘のそれぞれの回転速度は、前記第１錘及び前記第２錘の回転位置が１分間に２〜６回互いに一致するように設定されていることを特徴とする請求項２記載のシート揃え装置。
【請求項４】
前記第１及び第２錘の回転の中心が互いに平行することを特徴とする請求項３記載のシート揃え装置。
【請求項５】
前記振動手段による前記保持部に対する振動は、前記保持部に保持されている前記シートの束の縦方向及び横方向の前記縁部うち少なくともいずれか一方の縁部と略平行する方向の振動成分を有することを特徴とする請求項１乃至４のいずれかに記載のシート揃え装置。
【請求項６】
前記保持部は、略直方体の箱状体であり前記シートを出し入れするための出し入れ口を有し、前記出し入れ口を形成する前記シートと平行な側壁の縁部に、前記保持部に保持されている前記シートの束の縁部を把持できるようにするための切欠き部を設け、前記底部は、互いに略直交する板部材で形成されていることを特徴とする請求項１乃至５のいずれかに記載のシート揃え装置。
【請求項７】
前記保持部は、前記シートの束を、シート面が鉛直方向と２０°〜４０°の角度を成す状態で保持することを特徴とする請求項１乃至６のいずれかに記載のシート揃え装置。
【請求項８】
前記シートは、略長方形であり、前記保持部は、前記シートの束を、その一方の縁部が水平方向と３０°〜６０°の角度を成す状態で保持することを特徴とする請求項１乃至７のいずれかに記載のシート揃え装置。
【請求項９】
前記保持部は、ゴム様弾性体で形成された連結部材を介して前記振動手段と結合し、前記振動手段は、支持部に設けられていることを特徴とする請求項１乃至８のいずれかに記載のシート揃え装置。
【請求項１０】
前記シートは、紙製であり、前記保持部は木製であることを特徴とする請求項１乃至９のいずれかに記載のシート揃え装置。
【請求項１１】
前記保持部の底部にほこり排出孔が形成されていることを特徴とする請求項１乃至１０のいずれかに記載のシート揃え装置。
【発明の詳細な説明】
【技術分野】
【０００１】
本発明は、例えば複数枚重ねられた用紙、プラスチックシート等のシートの束を振動させることによって、このシートの束の縁部を揃えるシート揃え装置に関する。
【背景技術】
【０００２】
従来のシート揃え装置の一例として図１３（ａ）、（ｂ）、（ｃ）及び（ｄ）に示すものがある（例えば、特許文献１参照。）。このシート揃え装置１を使用して用紙２の縁部を揃えるときは、まず、図１３（ａ）に示すように、テーブル３上に複数枚の用紙２を積み重ねる。そして、図１３（ｂ）に示すように、この積み重ねられた用紙２の周囲から各用紙２間に空気を吹き込みながら、用紙２の束の一方の縁部２ａに押し崩し部材４の傾斜面を押し当てる。このようにして、この用紙２の束の一方の縁部２ａを傾斜させて押し崩す。このように、各用紙２間に空気を吹き込みながら、用紙２の束の縁部２ａを傾斜させて押し崩すことによって、空気が用紙２間に行き渡ることができ、それぞれの用紙２が紙面に沿って移動し易くすることができる。次に、図１３（ｃ）に示すように、積み重ねられた用紙２の束の他方の傾斜する縁部２ｂに、押し戻し部材５の可動板５ａを押し当てる。そして、図１３（ｄ）に示すように、用紙２の束の他方の縁部２ｂに押し当てた可動板５ａを、垂直位置となる方向に揺動させながらその傾斜する他方の縁部２ｂを押し戻すと共に、図１３（ａ）に示すように、用紙２の束の一方の縁部２ａに垂直板６を当接させる。これによって、この用紙２の束の各縁部２ａ、２ｂを揃えることができる。
【特許文献１】特開２００２−２１１７６８号公報
【発明の開示】
【発明が解決しようとする課題】
【０００３】
しかし、図１３（ａ）、（ｂ）、（ｃ）及び（ｄ）に示す従来のシート揃え装置１では、押し崩し部材４及び押し戻し部材５を例えばエアーシリンダで駆動しているので、これらエアーシリンダ、並びにこれらを駆動や制御するための圧力空気、電磁弁、及び制御装置等が必要であり、これらの機器の費用が嵩むし、装置全体の嵩も大きくなる。
【０００４】
本発明は、上記のような課題を解決するためになされたものであり、構造が簡単であり、嵩も小さく、低廉なシート揃え装置を提供することを目的としている。
【課題を解決するための手段】
【０００５】
本発明に係るシート揃え装置は、複数枚重ねられたシートの束を保持部で保持し、この保持部を振動手段で振動させることによって、前記シートの束の縁部を揃えるシート揃え装置において、前記保持部は、前記シートの束の下方に向かう縦方向及び横方向の各縁部に当接して前記シートの束を保持するための底部を備えることを特徴とするものである。
【０００６】
この発明に係るシート揃え装置を使用して複数枚重ねられたシートの束の縁部を揃えるときは、まず、シートの束を保持部に装着する。そして、振動手段を駆動させて保持部を振動させる。保持部が振動すると、シートの束の下方に向かう縦方向及び横方向の各縁部が、保持部に設けられている底部に当接しているので、シートの束の縦方向及び横方向の当該各縁部を揃えることができる。
【０００７】
そして、この発明に係るシート揃え装置において、前記振動手段は、前記保持部に保持されている前記シートの束のシート面に対して、略垂直な面内で錘を回転させて振動を発生するようにするとよい。このようにすると、保持部に保持されているシートの束を、シート面に対して垂直な方向、及びシート面と平行する方向に振動させることができる。シートの束をシート面に対して垂直な方向に振動させることによって、シートの束をほぐすことができる。そして、シートの束をシート面と平行する方向に振動させることによって、このほぐされたシートの束の各縁部を保持部の底部に押し当てて揃えることができる。
【０００８】
また、この発明に係るシート揃え装置において、前記振動手段は、第１振動手段及び第２振動手段を備え、前記第１振動手段及び第２振動手段の第１錘及び第２錘のそれぞれの回転速度は、前記第１錘及び第２錘の回転位置が１分間に２〜６回互いに一致するように設定するとよい。このようにすると、第１及び第２錘の回転位置が互いに一致するときに、強い振動を発生することができ、第１及び第２錘の回転位置が互いに反対側の位置にあるときに、振動が小さくなる。この振動の大きさの変化を、シートの材質、腰の強さ、表面の滑らかさ等に応じて設定することによって、シートの束を効果的にほぐして奇麗に揃えることができる。
【０００９】
更に、この発明に係るシート揃え装置において、前記第１及び第２錘の回転の中心が互いに平行するようにするとよい。このようにすると、第１及び第２振動手段が発生する振動の力を有効に利用することができる。
【００１０】
また、この発明に係るシート揃え装置において、前記振動手段による前記保持部に対する振動は、前記保持部に保持されている前記シートの束の縦方向及び横方向の前記縁部うち少なくともいずれか一方の縁部と略平行する方向の振動成分を有するようにするとよい。このようにすると、保持部に保持されているシートの束を、その一方の縁部が保持部の底部と略当接する状態で、底部に沿う方向に振動させることができる。つまり、シートの束の縦方向及び横方向の両縁部を底部から引き離す方向に振動させると、各縁部を揃え難いが、一方の縁部と略平行する方向に振動させることによって、効率よくシートの束を揃えることができる。
【００１１】
更に、この発明に係るシート揃え装置において、前記保持部は、略直方体の箱状体であり前記シートを出し入れするための出し入れ口を有し、前記出し入れ口を形成する前記シートと平行な側壁の縁部に、前記保持部に保持されている前記シートの束の縁部を把持できるようにするための切欠き部を設け、前記底部は、互いに略直交する板部材で形成するとよい。このようにすると、シートの束を、保持部に対して出し入れ口から出し入れすることができる。そして、シートの束の縁部を手で把持して、シートの束を保持部に装着したり、取り出すことができるが、この際に、保持部の側壁に切欠き部が形成されているので、手が側壁に邪魔されないようにして、シートの束を出し入れすることができる。また、振動するシートの束の縁部が保持部の底部に当接するが、この底部を板部材で形成することによって、シートの束の縁部を比較的広い範囲で底部に当接させることができる。これによって、振動の際に、シートの束の縁部が折れ曲がることを防止することができ、縁部を確実に揃えることができる。
【００１２】
そして、この発明に係るシート揃え装置において、前記保持部は、前記シートの束を、シート面が鉛直方向と２０°〜４０°の角度を成す状態で保持するようにするとよい。このように、シート面が鉛直方向と２０°〜４０°の角度を成すように、シートの束を保持部で保持すると、シートの束の重量の一部がシート面を介して保持部によって保持される。これによって、振動の際に、シートの束の縁部に掛かる重量の割合を適切な大きさに軽減することができ、縁部が折れ曲がることを防止することができる。
【００１３】
また、この発明に係るシート揃え装置において、前記シートは、略長方形であり、前記保持部は、前記シートの束を、その一方の縁部が水平方向と３０°〜６０°の角度を成す状態で保持するようにするとよい。このように、長方形のシートの一方の縁部が水平方向と３０°〜６０°の角度を成すように保持部で保持すると、他方の縁部が水平方向と６０°〜３０°の角度を成すように保持部で保持することができる。この角度範囲で保持されたシートの束を振動させることによって、２つの各縁部が適切な力で底部と当接するように振動を与えることができ、各縁部を奇麗に揃えることができる。
【００１４】
そして、この発明に係るシート揃え装置において、前記保持部は、ゴム様弾性体で形成された連結部材を介して前記振動手段と結合し、前記振動手段を、支持部に設けるとよい。このようにすると、振動手段が発生する振動の衝撃を連結部材によって低減することができ、この衝撃の低減された振動を、保持部を介してシートの束に伝えることができる。これによって、シートの束の縁部が折れ曲がらないようにして揃えることができる。
【００１５】
また、この発明に係るシート揃え装置において、前記シートは、紙製であり、前記保持部は木製とするとよい。このようにすると、シートと保持部の材質を同一又は略同一にすることができる。シートと保持部の材質を略同一にすることによって、それぞれに静電気が生じ難くすることができる。シートに静電気が生じ難くできると、シートどうしが静電気によって引き合わないようにすることができるので、シートの束を揃え易くすることができる。
【００１６】
更に、この発明に係るシート揃え装置において、前記保持部の底部にほこり排出孔を形成するとよい。このようにすると、シートに付着するほこり等が振動によって保持部内に落下することがあっても、保持部内に落下するほこりをほこり排出孔に通して排出することができる。これによって、ほこりがシートに付着することを防止することができる。
【発明の効果】
【００１７】
この発明に係るシート揃え装置によると、シートの束の各縁部を保持部の底部に当接させた状態で、保持部を振動手段によって振動させることで、シートの束の縁部を揃えることができるので、図１３に示す従来のシート揃え装置１と比較して、構造が簡単であり、嵩を小さくすることができ、その結果、低廉にすることができる。
【発明を実施するための最良の形態】
【００１８】
以下、本発明に係るシート揃え装置の一実施形態を図１〜図８を参照して説明する。このシート揃え装置７は、例えば印刷工場において、用紙を揃えるときに使用することができるものである。例えば、用紙の両面に印刷する場合に、まず、用紙の片面に印刷する。この片面が印刷された用紙は、印刷機から排出されるときに、用紙の端部がある程度揃えられながら積み重ねられる。しかし、残りの片面に印刷するときは、この片面が印刷された用紙をきっちりと揃えて印刷機に供給する必要がある。そこで、この片面が印刷された用紙をきっちりと揃えるときに、このシート揃え装置７を使用することができる。このシート揃え装置７は、複数枚重ねられた用紙、プラスチックシート等のシート８の束を保持部９で保持し、この保持部９を振動機（振動手段）１０で振動させることによって、シート８の束の縁部８ａ、８ｂを揃えることができるものである。このシート８は、長方形であり、例えばＡ３、Ｂ４等のいずれの大きさのものでもよい。
【００１９】
保持部９は、図１〜図３に示すように、例えば木製の略直方体の箱状体であり、互いに間隔を隔てて平行し、鉛直方向と平行して配置された２枚の側壁９ａ、９ａを備えている。それぞれの側壁９ａ、９ａは、長方形の板状体の１つの角部に切欠き部１１が形成されたものである。この切欠き部１１は、図１に示すように、保持部９に収容されているシート８の束を保持部９から取り出す際に、シート８の切欠き部１１から露出する部分１２を例えば手で把持し易くして、シート８を保持部９から取り出し易くするものである。勿論、この切欠き部１１は、束ねられたシート８の所定の角部１２を手で把持して、この把持したシート８の束を保持部９に装着し易くするようにもなっている。要するに、切欠き部１１は、シート８の束を保持部９に対して出し入れするときに、手が保持部９の側壁９ａ、９ａに邪魔されないようにするものである。
【００２０】
また、図１及び図２に示すように、２枚の側壁９ａ、９ａは、下方に向かうそれぞれの縦方向の各縁部（各長辺）が第１底部９ｂを介して結合しており、下方に向かうそれぞれの横方向の各縁部（各短辺）が第２底部９ｃを介して結合している。この第１底部９ｂ及び第２底部９ｃは、長方形の板部材で形成されており、互いに略直交するように配置されている。この第１底部９ｂ及び第２底部９ｃは、２枚の側壁９ａ、９ａに対して、ネジ又は釘等で取り付けられている。これら第１底部９ｂ及び第２底部９ｃは、図２に示すように、水平方向１３との成す角度α及びβがそれぞれ例えば約４５°である。この角度α及びβは、それぞれ３０°〜６０°が好ましい。なお、角度α又はβが３０°よりも小さくなると、シート８の一方の縁部８ｂ又は８ａに掛かる力が小さくなり、その縁部を効果的に揃えることができないことがある。
【００２１】
また、図５に示すように、２枚の側壁９ａ、９ａの、上方に向かうそれぞれの縦方向の各縁部（各長辺）、各側壁９ａ、９ａの上方に向かうそれぞれの横方向の各縁部（各短辺）、一対の切欠き部１１の各縁部、並びに第１及び第２底部９ｂ、９ｃの上方に向かう各縁部によって開口部１４が形成されている。この開口部１４は、保持部９に対してシート８を出し入れするための出し入れ口である。更に、図５に示すように、保持部９の第１底部９ｂと第２底部９ｃとが互いに接合する最下部の２つの隅角位置には、２つのほこり排出孔１５、１５が互いに間隔を隔てて形成されている。一方のほこり排出孔１５は、第１底部９ｂの一方の角部に形成されており、他方のほこり排出孔１５は、第２底部９ｃの一方の角部に形成されている。
【００２２】
この保持部９は、図２に示すように、例えば大きさがＢ４（２５７×３６４ｍｍ）のシート８を保持するときに、そのシート８の上方に向かう縦方向の縁部が側壁９ａ、９ａの対応する縁部からＲ１（約２０ｍｍ）露出し、シート８の上方に向かう横方向の縁部が側壁９ａ、９ａの対応する縁部からＲ２（約１５ｍｍ）露出する大きさである。更に、保持部９は、図２に示すように、支持部１６に設けられている。また、この保持部９は、例えばＢ４の大きさのシート８を約１，０００枚保持できる大きさである。
【００２３】
支持部１６は、図２に示すように、第１底部９ｂと間隔を隔てて平行に配置されている第１棒状部１６ａと、第２底部９ｃと接する状態で平行に配置されている第２棒状部１６ｂとを備えている。この第１棒状部１６ａ及び第２棒状部１６ｂのそれぞれの下端部は、結合部１６ｃを介して互いに結合している。そして、この結合部１６ｃは、屈曲部１６ｄを介して円錐台状の基台１７と結合している。
【００２４】
支持部１６は、例えば塩化ビニール等の合成樹脂製の管状部材で形成されている。支持部１６は、シート８の束を保持する保持部９及び振動機１０を支持できる強度に形成されており、基台１７は、これらを起立させることができる大きさ、重量、及び形状に形成されている。
【００２５】
保持部９は、図２及び図４に示すように、第２底部９ｃの下面が取付部材１８によって第２棒状部１６ｂに取り付けられている。この取付部材１８は、板状部材を略半円形に屈曲形成したものであり、第２底部９ｃにネジ止めされている。
【００２６】
この第２棒状部１６ｂは、保持部９を安定して保持できるように設けてあるが、保持部９に対して所望の振動を付与できるように、保持部９と第２棒状部１６ｂとを、ゴム様弾性体で形成された振動吸収部材（図示せず）を介して互いに結合してもよい。
【００２７】
振動機１０は、図６に示すように、例えば電気モータによって構成された回転駆動部１９を備えている。この回転駆動部１９は、後端部に後部ブラケット２０が設けられており、この後部ブラケット２０が支持部１６の第１棒状部１６ａに対して、取付部材１８によって固定して取り付けられている。そして、回転駆動部１９の前端部には、前部ブラケット２１が設けられており、この前部ブラケット２１が取付板２２に取り付けられており、この取付板２２は保持部９の第１底部９ｂにネジ２３で固定して取り付けられている。
【００２８】
次に、前部ブラケット２１と取付板２２との結合構造を、図６を参照して説明する。前部ブラケット２１は、カップ状の突部２１ａが４つ設けられており、これら４つの各突部２１ａと取付板２２との間に短円筒形の連結部材２４が配置されている。この連結部材２４は、例えば合成ゴム等のゴム様弾性体で形成されている。そして、各連結部材２４の内孔と連通するように、各突部２１ａの底壁に挿通孔２１ｂが形成され、取付板２２に４つの挿通孔２２ａが形成されている。これら４つの各連結部材２４の内孔、各突部２１ａの底壁に形成された挿通孔２１ｂ、及び取付板２２に形成された各挿通孔２２ａにボルト２５がそれぞれ挿通している。各ボルト２５の頭部２５ａは、各突部２１ａに収容されており、各ボルト２５に螺合するナット２６を締め付けることによって、このボルト２５の頭部２５ａとナット２６との間に、突部２１ａの底部、連結部材２４、及び取付板２２を挟み込んでおり、これによって、振動機１０を取付板２２に取り付けている。
【００２９】
また、回転駆動部１９は、図７に示すように、回転軸１９ａに回転円板２７が固定して取り付けられており、この回転円板２７の板面には錘２８が設けられている。錘２８は、図８に示すように、例えば円弧状部材であり、回転円板２７の円周に沿って約１３０°の範囲に亘って配置されている。この回転円板２７及び錘２８は、例えば合成樹脂製である。
【００３０】
この振動機１０によると、回転駆動部１９を駆動させると、図６に示す回転軸１９ａが所定方向に回転して、回転円板２７も同方向に回転する。回転円板２７が回転すると、錘２８の遠心力によって回転軸１９ａが振動する。この回転軸１９ａの振動は、前部ブラケット２１、４つの連結部材２４、４本のボルト２５、及び取付板２２等を介して保持部９を振動させることができる。なお、回転軸１９ａは例えば３，０００（ｒｐｍ）で回転する。図１に示す２９は、振動機１０に電気を供給するための電気配線、３０は振動機１０を駆動、停止するためのＯＮ、ＯＦＦスイッチである。
【００３１】
上記のように構成された図１等に示すシート揃え装置７を使用して、複数枚重ねられた用紙等のシート８の束の縁部８ａ、８ｂを揃えるときは、まず、例えば、同一形状、大きさのシート８の束を保持部９に装着する。そして、振動機１０を駆動させて保持部９を振動させる。保持部９が振動すると、シート８の束の下方に向かう縦方向及び横方向の各縁部８ａ、８ｂが、保持部９に設けられている第１及び第２底部９ｂ、９ｃに当接しているので、シート８の束の縦方向及び横方向の当該各縁部８ａ、８ｂを揃えることができる。このように、このシート揃え装置７によると、シート８の束の各縁部８ａ、８ｂを保持部９の底部９ｂ、９ｃに当接させた状態で、保持部９を振動機１０によって振動させることで、シート８の束の縦方向及び横方向の各縁部８ａ、８ｂを揃えることができるので、図１３に示す従来のシート揃え装置１と比較して、構造が簡単であり、嵩を小さくすることができ、その結果、低廉にすることができる。
【００３２】
そして、図６に示すように、振動機１０に設けられている錘２８付きの回転円板２７は、保持部９の第１底部９ｂと平行して設けられているので、この回転円板２７が回転すると、保持部９に保持されているシート８の束のシート面８ｃに対して、略垂直な面内で錘２８が回転して振動を発生することができる。これによって、図１に示すように、保持部９に保持されているシート８の束を、シート面８ｃに対して略垂直な方向３１、及びシート面８ｃと略平行する方向（シート８の束の縦方向の縁部８ａと略平行する方向）３２に振動させることができる。シート８の束をシート面８ｃに対して略垂直な方向３１に振動させることによって、シート８の束をほぐすことができる。そして、シート８の束をシート面８ｃと略平行する方向３２に振動させることによって、このほぐされたシート８の束の各縁部８ａ、８ｂを保持部９の第１及び第２底部９ｂ、９ｃに押し当てて揃えることができる。
【００３３】
また、図１に示すように、回転円板２７が回転すると、保持部９に保持されているシート８の束の縦方向の縁部８ａと略平行する方向３２に、このシート８の束を振動させることができる。これによって、保持部９に保持されているシート８の束を、その縦方向の縁部８ａが保持部９の第１底部９ｂと略当接する状態で振動させることができる。つまり、シート８の束の縦方向及び横方向の両縁部８ａ、８ｂが第１及び第２底部９ｂ、９ｃと引き離される方向に振動させると、各縁部８ａ、８ｂを揃え難いが、シート８の束の一方の縁部（例えば縦方向の縁部８ａ）と略平行する方向３２に振動させることによって、効率よくシート８の束を揃えることができる。
【００３４】
更に、図６に示すように、振動するシート８の束の縦方向及び横方向の各縁部８ａ、８ｂは、保持部９の第１及び第２底部９ｂ、９ｃに当接するが、これら第１及び第２底部９ｂ、９ｃを板部材で形成することによって、シート８の束の各縁部８ａ、８ｂを比較的広い範囲で第１及び第２底部９ｂ、９ｃに当接させることができる。これによって、振動の際に、シート８の束の縦方向及び横方向の各縁部８ａ、８ｂが折れ曲がることを防止することができ、各縁部８ａ、８ｂを確実に揃えることができる。
【００３５】
そして、図２に示すように、長方形のシート８の縦方向の縁部８ａが水平方向１３と約４５°（α）の角度を成し、横方向の縁部８ｂが水平方向１３と約４５°（β）の角度を成すように、シート８の束を保持部９で保持している。この角度α及びβで保持されたシート８の束を振動させることによって、２つの各縁部８ａ、８ｂに適切な力が掛かるように振動を与えることができ、各縁部８ａ、８ｂを奇麗に揃えることができる。
【００３６】
また、図６に示すように、保持部９と振動機１０とは、ゴム様弾性体で形成された連結部材２４、・・・を介して互いに結合されているので、振動機１０が発生する振動の衝撃を連結部材２４によって低減することができ、この衝撃の低減された振動を、保持部９を介してシート８の束に伝えることができる。これによって、シート８の束の縁部８ａ、８ｂが折れ曲がらないようにして揃えることができる。
【００３７】
更に、シート８を紙製とし、保持部９を木製とすることによって、シート８と保持部９の材質を同一又は略同一にすることができる。シート８と保持部９の材質を略同一にすることによって、それぞれに静電気が生じ難くすることができる。シート８に静電気が生じ難くできると、シート８どうしが静電気によって引き合わないようにすることができるので、シート８の束を揃え易くすることができる。
【００３８】
そして、図５に示すように、保持部９の底には２つのほこり排出孔１５、１５を形成してあるので、シート８に付着するほこり等が振動によって保持部９内に落下することがあっても、保持部９内に落下するほこりをほこり排出孔１５、１５に通して排出することができる。これによって、ほこりがシート８に付着することを防止することができる。
【００３９】
ただし、上記実施形態では、保持部９を木製としたが、これ以外の材質としてもよく、例えば金属製としてもよい。なお、保持部９の材質は、振動によるシート８との摩擦によって、静電気が発生し難いものを選択するとよい。また、保持部９は、シート８に応じた大きさに形成するとよい。
【００４０】
そして、上記実施形態では、図１に示すように、支持部１６を合成樹脂製の管状部材で形成したが、これ以外の部材を使用して支持部１６を形成してもよい。例えば材質を金属製としてもよい。また、管状部材で形成する代わりに、例えば断面Ｌ字形状の部材で形成してもよい。
【００４１】
更に、上記実施形態では、図２に示すように、保持部９の第２底部９ｃと、支持部１６の第２棒状部１６ｂとを取付部材１８で互いに結合したが、これに代えて、図９に示すように、第２棒状部１６ｂを削除してもよい。
【００４２】
また、上記実施形態では、図２に示すように、保持部９の第１底部９ｂの外面に取付板２２をネジ止めして、この取付板２２に振動機１０を連結部材２４を介して取り付けると共に、この振動機１０の後部ブラケット２０を、支持部１６の第１棒状部１６ａに取付部材１８によって固定して取り付けてあり、更に、保持部９の第２底部９ｃを支持部１６の第２棒状部１６ｂに取付部材１８によって固定して取り付けたが、振動機１０及び保持部９を、これ以外の取付構造によって支持部１６に取り付けてもよい。例えば、図１０に示すように、保持部９の第２底部９ｃの外面に取付板２２をネジ止めして、この取付板２２に振動機１０を連結部材２４を介して取り付けると共に、この振動機１０の後部ブラケット２０を、支持部１６の第１棒状部１６ａに取付部材１８によって固定して取り付ける。なお、第２棒状部１６ｂは削除してある。このようにすると、保持部９に保持されているシート８の束を、シート面８ｃに対して略垂直な方向３１（図１参照）、及びシート面８ｃと平行する方向（シート８の束の横方向の縁部８ｂと略平行する方向）３３に振動させることができる。これ以外は、上記実施形態と同等である。
【００４３】
この図１０に示すシート揃え装置３４によると、保持部９に保持されているシート８の束を、シート８の束の横方向の縁部８ｂと略平行する方向３３に振動させることができ、これによって、保持部９に保持されているシート８の束を、その横方向の縁部８ｂが保持部９の第２底部９ｃと略当接する状態で振動させることができる。
【００４４】
このように、シート８の束を、シート８の束の横方向の縁部８ｂと略平行する方向３３に振動させた場合は、シート８の束の重量がシート８の束の縦方向の縁部（縦方向の縁部８ａは、横方向の縁部８ｂよりも長い。）８ａに分散されて、シート８の縦方向の縁部８ａに掛かる単位長さあたりの力が比較的小さくなること、シート８の束が振動する横方向のシート８の長さ（シート８の横方向の長さ）が縦方向の長さよりも短いことによって、シート８の縦方向の縁部８ａに掛かる単位長さあたりの力が小さくなることによって、シート８の縁部８ａの折れ曲がりを抑制することができる。よって、図１０に示すシート揃え装置３４は、図１に示すシート揃え装置７よりも効率よくシート８の束の縁部８ａ、８ｂを揃えることができる。
【００４５】
そして、上記実施形態では、図３に示すように、保持部９は、シート８の束を、シート面８ｃが鉛直方向３５と略平行する状態で保持するように支持部１６に設けた構成としたが、これに代えて、保持部９は、シート８の束を、シート面８ｃが鉛直方向３５と２０°〜４０°（好ましくは約３０°）の角度を成す状態で保持するように支持部１６に設けた構成としてもよい。このように、シート面８ｃが鉛直方向３５と略３０°の角度を成すように、シート８の束を保持部９で保持すると、シート８の束の重量の一部がシート面８ｃを介して保持部９によって保持される。これによって、振動の際に、シート８の束の縦方向及び横方向の各縁部８ａ、８ｂに掛かる重量の割合を軽減することができ、各縁部８ａ、８ｂが折れ曲がることを防止することができる。
【００４６】
また、上記実施形態では、図１に示すように、１台の振動機１０を設けて保持部９を振動させたが、これに代えて、２台以上の振動機１０を設けて保持部９を振動させてもよい。
【００４７】
更に、例えば図１又は図２に示す保持部９の第１底部９ｂと第１棒状部１６ａとの間に、図１１及び図１２に示す第１振動機３６と第２振動機３７とを並列に設けてもよい。これら第１及び第２振動機３６、３７は、振動機１０と同等のものであり、上記実施形態と同様にして保持部９と支持部１６との間に取り付けることができる。ここで、第１振動機３６及び第２振動機３７の第１錘３８及び第２錘３９のそれぞれの回転速度は、第１錘３８及び第２錘３９の回転位置が１分間に２〜６回（好ましくは４回）互いに一致するように設定されている。
【００４８】
このようにすると、図１１（ａ）、（ｂ）に示すように、第１及び第２錘３８、３９の回転位置が互いに一致するときに、強い振動を発生することができる。そして、図１２（ａ）、（ｂ）に示すように、第１及び第２錘３８、３９の回転位置が互いに反対側の位置にあるときに、振動が小さくなる。この振動の大きさの変化を、シート８の材質、腰の強さ、表面の滑らかさ等に応じて設定することによって、シート８の束を効果的にほぐして奇麗に揃えることができる。なお、第１錘３８及び第２錘３９の回転位置が１分間に例えば４回互いに一致するように設定するときは、例えば第１振動機３６の第１錘３８の回転速度を３，０００ｒｐｍとしたときは、第２振動機３７の第２錘３９の回転速度を２，９９６ｒｐｍとすればよい。
【００４９】
そして、上記のような構成にした場合、第１及び第２錘３８、３９の回転の中心（それぞれの回転軸１９ａ、１９ａ）が互いに平行するように配置するとよい。このようにすると、第１及び第２振動機３６、３７が発生する振動の力を有効に利用することができる。
【産業上の利用可能性】
【００５０】
以上のように、本発明に係るシート揃え装置は、構造が簡単であり、嵩も小さく、低廉であるという優れた効果を有し、このようなシート揃え装置等に適用するのに適している。
【図面の簡単な説明】
【００５１】
【図１】この発明の実施形態に係るシート揃え装置を示す斜視図である。
【図２】同実施形態に係るシート揃え装置を示す正面図である。
【図３】同実施形態に係るシート揃え装置を示す右側面図である。
【図４】同実施形態に係るシート揃え装置を示す左側面図である。
【図５】同実施形態に係るシート揃え装置を示す平面図である。
【図６】同実施形態に係るシート揃え装置の振動機を示す拡大部分断面図である。
【図７】同実施形態に係るシート揃え装置の振動機を構成する回転駆動部を示す部分拡大図である。
【図８】同実施形態に係る回転駆動部に設けられている回転円板を示すＡ−Ａ断面図である。
【図９】同実施形態に係るシート揃え装置の第２棒状部を除去した例を示す正面図である。
【図１０】同発明の他の実施形態に係るシート揃え装置を示す正面図である。
【図１１】同発明の更に他の実施形態に係るシート揃え装置に設けられている第１及び第２錘の回転位置が一致する状態を示し、（ａ）は第１錘を示す正面図、（ｂ）は第２錘を示す正面図である。
【図１２】図１１に示す第１及び第２錘の回転位置が互いに反対側の位置にある状態を示し、（ａ）は第１錘を示す正面図、（ｂ）は第２錘を示す正面図である。
【図１３】従来のシート揃え装置の一例を示し、（ａ）はテーブル上に揃えようとする用紙の束を積み重ねた状態を示す正面図、（ｂ）は用紙の束の一方の縁部に押し崩し部材を押し当てて用紙の束を押し崩した状態を示す正面図、（ｃ）は用紙の束の他方の縁部に押し戻し部材を押し当てた状態を示す正面図、（ｄ）は押し戻し部材の可動板を垂直位置に揺動して用紙の束の他方の縁部を押し戻した状態を示す正面図である。
【符号の説明】
【００５２】
７  シート揃え装置
８  シート
８ａ  縦方向の縁部
８ｂ  横方向の縁部
８ｃ  シート面
９  保持部
９ａ  側壁
９ｂ  第１底部
９ｂ  第２底部
１０  振動機
１１  切欠き部
１２  シートの角部
１３  水平方向
１４  保持部の開口部
１５  ほこり排出孔
１６  支持部
１６ａ  第１棒状部
１６ｂ  第２棒状部
１７  基台
１８  取付部材
１９  回転駆動部
１９ａ  回転軸
２０  後部ブラケット
２１  前部ブラケット
２２  取付板
２４  連結部材
２５  ボルト
２６  ナット
２７  回転円板
２８  錘
２９  電気配線
３０  スイッチ
３１  垂直な方向
３２、３３  平行する方向
３４  シート揃え装置
３５  鉛直方向
３６  第１振動機
３７  第２振動機
３８  第１錘
３９  第２錘
【図１】
2006282360.tif 000003
【図２】
2006282360.tif 000004
【図３】
2006282360.tif 000005
【図４】
2006282360.tif 000006
【図５】
2006282360.tif 000007
【図６】
2006282360.tif 000008
【図７】
2006282360.tif 000009
【図８】
2006282360.tif 000010
【図９】
2006282360.tif 000011
【図１０】
2006282360.tif 000012
【図１１】
2006282360.tif 000013
【図１２】
2006282360.tif 000014
【図１３】
2006282360.tif 000015